(57)【要約】【課題】本発明は、簡単な構成で手動により操作表示パネルの取付角度が調整できる操作表示パネルの支持機構及びそれを備えた画像形成装置を提供することを目的とするものである。【解決手段】操作表示パネル５は、支持部１５及び１６の間に設置され、各支持部の内側には、２対のスライド溝１７ａ及び１７ｂ並びに１８ａ及び１８ｂが形成されている。そして、操作表示パネル５の左右両側には、２対の係合ピン２０ａ及び２０ｂ並びに２１ａ及び２１ｂが突設されている。そして、スライド溝１７ａ及び１７ｂには係合ピン２０ａ及び２０ｂが、スライド溝１８ａ及び１８ｂには係合ピン２１ａ及び２１ｂがそれぞれ嵌装されている。スライド溝１７ａ及び１７ｂは、ジグザグに形成されており、その中に係合ピンをスライドさせて落とし込んでいくことで、操作表示パネル５の取付角度が変更される。【選択図】図４
2007155864.tif 000002
【特許請求の範囲】
【請求項１】
装置本体に取付角度が調整可能に設けられた操作表示パネルの支持機構であって、装置本体側に所定の間隔を置いて設けられた一対の支持部と、前記支持部の内側にそれぞれ傾斜して形成された２対のスライド溝と、前記操作表示パネル側に設けられるとともに前記スライド溝にそれぞれスライド可能に係合する２対の係合ピンとを備え、少なくとも１対の前記スライド溝には、前記係合ピンを保持する複数の係止部が形成されており、前記操作表示パネルは、前記係合ピンを前記スライド溝にそれぞれ係合させて前記支持部の間に取り付けられるとともに前記係止部のいずれかに前記係止ピンを保持することでその取付角度が調整されることを特徴とする操作表示パネルの支持機構。
【請求項２】
前記係止部は、前記スライド溝に形成された段差部であることを特徴とする請求項１に記載の操作表示パネルの支持機構。
【請求項３】
請求項１又は２に記載の操作表示パネルの支持機構を備えていることを特徴とする画像形成装置。
【発明の詳細な説明】
【技術分野】
【０００１】
本発明は、電子機器等に取り付けられた操作表示パネルに用いる支持機構及びそれを備えた画像形成装置に関する。
【背景技術】
【０００２】
複写機、ファクシミリ装置、プリンタといった画像形成装置等の電子機器では、機器を動作させるために操作キー及び表示部を備えた操作表示パネルが取り付けられている。近年電子機器は利便性を向上させるために、ユーザーインターファースが強化されてきており、操作のための様々な情報が液晶パネル等の表示部に表示されるようになっている。そして、利用者は、表示部に表示されたメッセージを確認しながら必要な操作を行うことができ、いちいち説明書を読まなくても主な操作を行うことができる。
【０００３】
また、表示画面を見やすくするために、表示部をユニット化して角度調整ができるような工夫もなされている。例えば、特許文献１では、ケース側の起立ガイド溝と表示器側のガイド体とから構成される傾斜角度調整保持機構を設け、表示器の傾斜角度を調整可能とした点が記載されている。また、特許文献２では、ディスプレイの背面側に連結アームの一端を枢支するとともに他端を基台に凹設された複数の切欠き溝に係脱可能に取り付け、連結アームの取り付ける切欠き溝の位置を変えることによりディスプレイの画面角度を調整する点が記載されている。また、特許文献３では、装置本体に上下方向に形成されたガイド溝にリンクアームの一端を摺動可能に取り付け、リンクアームの他端をパネルディスプレイに回動可能に取り付け、リンクアームをガイド溝に摺動させてパネルディスプレイの角度を調整する点が記載されている。また、特許文献４では、表示画面を備えた回動板の側面にロックピンを設け、キャビネットの側板にロックピンが嵌り込む溝部を設け、溝部に形成された複数の窪み部のいずれかにロックピンを保持して回動板の角度を調整する点が記載されている。
【特許文献１】特開平８−２４９５４０号公報
【特許文献２】実開平５−４６１８４号公報
【特許文献３】実開平６−３０８２４号公報
【特許文献４】特開平７−２３４６４５号公報
【発明の開示】
【発明が解決しようとする課題】
【０００４】
上述した先行文献では、表示部の取付角度を調整することができるようになることから、利用者が自分の見やすい角度に表示部を設定することが可能となる。しかしながら、特許文献２又は３のように、連結アームやリンクアームを用いる機構は、機構が複雑でアーム部材の移動領域を確保する必要があり、またリンクアーム等の部品が必要となってコストアップの要因となる。また、特許文献１又は４のように、溝部にロックピン等を嵌め込んで摺動させて表示画面の角度を調整する場合には、表示画面の角度の調整範囲を大きく設定しようとするとその分溝部を長くする必要があり、また表示画面の移動範囲のためのスペースを予め確保しなければならず、装置をコンパクト化する場合には不適である。
【０００５】
そこで、本発明は、簡単な構成で手動により操作表示パネルの取付角度が調整できる操作表示パネルの支持機構及びそれを備えた画像形成装置を提供することを目的とするものである。
【課題を解決するための手段】
【０００６】
本発明に係る操作表示パネルの支持機構は、装置本体に取付角度が調整可能に設けられた操作表示パネルの支持機構であって、装置本体側に所定の間隔を置いて設けられた一対の支持部と、前記支持部の内側にそれぞれ傾斜して形成された２対のスライド溝と、前記操作表示パネル側に設けられるとともに前記スライド溝にそれぞれスライド可能に係合する２対の係合ピンとを備え、少なくとも１対の前記スライド溝には、前記係合ピンを保持する複数の係止部が形成されており、前記操作表示パネルは、前記係合ピンを前記スライド溝にそれぞれ係合させて前記支持部の間に取り付けられるとともに前記係止部のいずれかに前記係止ピンを保持することでその取付角度が調整されることを特徴とする。さらに、前記係止部は、前記スライド溝に形成された段差部であることを特徴とする。
【０００７】
本発明に係る画像形成装置は、上記の操作表示パネルの支持機構を備えていることを特徴とする。
【発明の効果】
【０００８】
上記のような構成を有することで、装置本体側の支持部に設けられた２対のスライド溝に操作表示パネル側に設けられた２対の係合ピンを係合して操作表示パネルを装置本体に取り付けるようにしているので、係合ピンによる４点支持で操作表示パネルが安定して保持されるとともに２対の係合ピンがそれぞれスライド溝をスライドすることで操作表示パネルを手動で容易に移動させることができる。また、２対のスライド溝及び係合ピンで操作表示パネルの取付角度を調整できるので、簡単な構成で装置のコンパクト化が可能でコストの節減にもなる。
【０００９】
そして、スライド溝に複数の係止部を形成することで、操作表示パネルの取付角度の調整を多段階で安定して行うことが可能となる。
【発明を実施するための最良の形態】
【００１０】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１１】
図１は、本発明に係る実施形態を備えた画像形成装置全体の概略外観斜視図である。画像形成装置１の上部には原稿読取部２が配置され、その下部には、底面から給紙部３、記録部４が配されている。そして、原稿読取部２の手前側には操作表示パネル５が取り付けられている。操作表示パネル５には、メッセージ等を表示するための液晶表示パネル５０や各種操作キー５１が配列されている。
【００１２】
原稿読取部２では、原稿カバー１０設けられた原稿トレイ１１に載置された原稿が自動原稿搬送装置１２により図示しない読取手段に対向する位置に搬送されて原稿読取動作が行われ、原稿排紙トレイ１３に排出される。書籍等を読み取る場合には、原稿カバー１０を上方に回動してフラットベッドプラテンに書籍等の被読取部分を配置し読取手段により読取動作が行われる。以上の構成は、いわゆる自動原稿搬送装置（以下「ＡＤＦ」という。）及びフラットベッドタイプと称される従来の原稿読取装置と同様のものである。
【００１３】
給紙部３では、給紙カセットが配置されており、給紙カセット内に積載された用紙はピックアップローラの回転駆動により、用紙が１枚ずつ用紙搬送路に給紙されるようになる。
【００１４】
給紙された用紙は、搬送ローラにより記録部４に搬送される。記録部４では、搬送された用紙に記録するために、感光体ドラム、帯電器、露光ヘッド、現像器、転写ローラ及び定着ローラが備えられている。まず、感光体ドラムを帯電器により一様に帯電させ、帯電された感光体ドラムに露光ヘッドで画像記録信号に応じて露光することで静電潜像を形成する。次に、現像器により感光体ドラムに形成された静電潜像にトナーを転移させて可視像化し、転写ローラにより感光体ドラム表面に形成されたトナー像を用紙に転写する。そして、転写されたトナー像は、定着ローラによって加熱・プレスされ用紙に定着される。定着された用紙は、排紙ローラにより用紙排出トレイ１４に搬出されるようになる。こうした画像形成装置は、公知のものであり、両面記録を行うための反転搬送機構をさらに備えたものもある。
【００１５】
操作表示パネル５は、原稿読取部２の手前側に延設された支持部１５及び１６の間に回転可能に支持されており、図２に示すように、操作表示パネル５を回動し、その角度を変更することができるようになっている。
【００１６】
図３は、操作表示パネル５が取り付けられた原稿読取部２の一部拡大斜視図である。操作表示パネル５を左右両側から支持する一対の支持部１５及び１６は、原稿読取部２の手前側に突出するように延設されており、支持部１５及び１６の間に操作表示パネル５が回動可能なように取り付けられている。
【００１７】
支持部１５及び１６の内側には、１対のスライド溝１７ａ及び１７ｂ並びに１対のスライド溝１８ａ及び１８ｂが形成されている。図５は、支持部１５の内側に形成されたスライド溝を示す側面図である。スライド溝１７ａは、前後方向及び上下方向に交互に折れ曲がるように階段状に形成されており、後方に行くに従い下方に傾斜するように設定されている。そして、スライド溝１７ａの両端部１９ａ及び１９ｄ、折れ曲がり部分１９ｂ及び１９ｃは、後述する係合ピンを保持する段差部となっている。また、スライド溝１８ａは、円弧状に形成されており、後方に行くに従い上方に傾斜するように設定されている。
【００１８】
一方、操作表示パネル５の左右両側の角部には、図６に示すように、それぞれ支持部１５又は１６に向かって２対の係合ピン２０ａ及び２０ｂ、２１ａ及び２１ｂが突設されている。１対の係合ピン２０ａ及び２０ｂは、１対のスライド溝１７ａ及び１７ｂにスライド可能に嵌装されており、１対の係合ピン２１ａ及び２１ｂは、１対のスライド溝１８ａ及び１８ｂにスライド可能に嵌装されている。
【００１９】
そして、段差部１９ａに係合ピン２０ａが係合した状態となっている場合には、係合ピン２１ａはスライド溝１８ａの前方側端部に係合した状態となり、この状態では操作表示パネル５は、図３に示すようにほぼ水平の状態に保たれる。端部１９ａでは、スライド溝１７ａがわずかに前方に向かって下方に傾斜するように設定されているため、重力の作用により係合ピン２０ａは端部１９ａに保持されるようになる。
【００２０】
操作表示パネル５の取付角度を調整する場合には、係合ピン２０ａを後方に向かってスライド溝１７ａ内にスライドさせていくと、段差部１９ｂに係合ピン２０ａが落ち込み、係合ピン２１ａはスライド溝１８ａ内を後方にスライドしてわずかに上方に移動する。したがって、操作表示パネル５は、前方側が下がって傾斜した状態となり、取付角度が変更される。
【００２１】
さらに、係合ピン２０ａが段差部１９ｂからスライド溝１７内をスライドするように操作表示パネル５を移動させれば、係合ピン２０ａが段差部１９ｃに落ち込んで操作表示パネル５の前方側が下がって取付角度が変更される。
【００２２】
そして、係合ピン２０ａを段差部１９ｃからスライドさせて端部１９ｄに落とし込むと、係合ピン２１ａは、スライド溝１８ａの後方端部側に移動するようになり、図４に示すように、操作表示パネル５が最も傾斜した状態に保持されるようになる。
【００２３】
なお、上記の説明では省略しているが、係合ピン２０ａと同様に係合ピン２０ｂもスライド溝１７ｂ内をスライドしていく。
【００２４】
図７は、操作表示パネル５の取付角度が変更される様子を示す模式図である。図７に示すように、係合ピン２０ａをスライド溝１７ａ内でスライドさせることで、操作表示パネル５の取付角度を調整することができる。そして、各スライド溝の形状を適宜変更することで、操作表示パネル５の取付角度の調整範囲及び移動範囲を設定することができる。
【００２５】
図８は、スライド溝の変形例に関する支持部１５の内側を示す側面図である。この例では、スライド溝１８ａには、下方に切り欠いて形成された複数の凹部２２ａ〜２２ｄが形成されており、各凹部には係合ピン２１ａが保持可能となっている。したがって、操作表示パネル５の取付角度を調整する場合に、係合ピン２１ａをスライド溝１８ａ内でスライドさせていくと、係合ピン２１ａが凹部２２ａ〜２２ｄのいずれかに保持されて操作表示パネル５を安定した状態で保持することができるようになる。
【図面の簡単な説明】
【００２６】
【図１】本発明に係る実施形態備えた画像形成装置全体の概略外観斜視図である。
【図２】図１において操作表示パネルを傾斜させた場合の概略外観斜視図である。
【図３】操作表示パネルの取付部分に関する一部拡大斜視図である。
【図４】操作表示パネルが傾斜した状態の取付部分に関する一部拡大斜視図である。
【図５】支持部の内側に形成されたスライド溝を示す側面図である。
【図６】操作表示パネルに関する上面図である。
【図７】操作表示パネルの取付角度が変更する様子を示す模式図である。
【図８】スライド溝の変形例に関する支持部の内側を示す側面図である。
【符号の説明】
【００２７】
１    画像形成装置
２    原稿読取部
３    給紙部
４    記録部
５    操作表示パネル
15    支持部
16    支持部
17    スライド溝
18    スライド溝
19    段差部
20    係合ピン
21    係合ピン
22    凹部
【図１】
2007155864.tif 000003
【図２】
2007155864.tif 000004
【図３】
2007155864.tif 000005
【図４】
2007155864.tif 000006
【図５】
2007155864.tif 000007
【図６】
2007155864.tif 000008
【図７】
2007155864.tif 000009
【図８】
2007155864.tif 000010